(57)【要約】【課題】回線の障害や伝送装置の増設／減設に係る運用管理者の作業の影響を事前に予測し、もって運用管理者が間違いなく迅速に作業をおこなうことを可能にする。【解決手段】コマンド受付部１２１が予測モード設定コマンドを受付けたならば、切替状態退避処理部１３２が現状のネットワークの状態情報を切替状態退避情報１４４に退避する。予測モードに入っている場合、切替制御部１２３は、ネットワークの構成変更のコマンドの受付けの通知やＫ１／Ｋ２バイトの変化の通知を受けると、記憶部１４０の情報の更新はおこなうが、更新内容を通信処理部１１０へ反映させずに、情報を更新した旨を動作予測処理部１３１へ通知する。この通知を受けた動作予測処理部１３１は、更新された情報からネットワークの変化の内容を予測し、予測結果通知部１３４が、この予測結果を管理者に通知する。【選択図】        図４
2006115387.tif 000002
【特許請求の範囲】
【請求項１】
ＳＤＨ方式のネットワークに接続される伝送装置であって、
指示内容に従って、記憶手段に保持されるネットワーク接続情報の更新をおこない、必要であれば、この情報の更新を反映するようにネットワークの構成を切り替える切替制御手段と、
前記切替制御手段により更新されたネットワーク接続情報を基にしてネットワークの動作の変化を予測する動作予測手段と、
前記動作予測手段の予測結果を表示手段または印字手段を通じて通知する通知手段と
を備えたことを特徴とする伝送装置。
【請求項２】
前記切替制御手段が前記ネットワーク接続情報を更新する前にこの情報を退避する情報退避手段と、
前記動作予測手段が予測を完了した後に前記情報退避手段が退避したネットワーク接続情報を退避前の状態に復元する情報復元手段とをさらに備えたことを特徴とする請求項１に記載の伝送装置。
【請求項３】
ネットワーク管理のためのコマンドを受付け、前記切替制御手段にコマンドの内容を通知するコマンド受付手段をさらに備え、
前記切替制御手段は、前記コマンド受付手段からネットワークの構成を切り替える旨の通知を受けたならば、この通知の指示内容に従って、記憶手段に保持されるネットワーク接続情報の更新をおこない、必要であれば、この情報の更新を反映するようにネットワークの構成を切り替えることを特徴とする請求項１または２に記載の伝送装置。
【請求項４】
ネットワーク上を伝送されるフレーム中のＫ１／Ｋ２バイトの変化を検出し、前記切替制御手段に変化の内容を通知するＫ１／Ｋ２バイト処理手段をさらに備え、
前記切替制御手段は、前記Ｋ１／Ｋ２バイト処理手段からネットワークの構成を切り替える旨の通知を受けたならば、この通知の指示内容に従って、記憶手段に保持されるネットワーク接続情報の更新をおこない、必要であれば、この情報の更新を反映するようにネットワークの構成を切り替えることを特徴とする請求項１、２または３に記載の伝送装置。
【請求項５】
ＳＤＨ方式のネットワークに接続される伝送装置の制御方法であって、
指示内容に従って、記憶手段に保持されるネットワーク接続情報の更新をおこない、必要であれば、この情報の更新を反映するようにネットワークの構成を切り替える切替制御工程と、
前記切替制御工程により更新されたネットワーク接続情報を基にしてネットワークの動作の変化を予測する動作予測工程と、
前記動作予測工程の予測結果を表示手段または印字手段を通じて通知する通知工程と
を含んだことを特徴とする伝送装置制御方法。
【発明の詳細な説明】
【技術分野】
【０００１】
この発明は、ＳＤＨ方式のネットワークに接続される伝送装置およびその制御方法に関し、特に回線の障害や伝送装置の増設／減設に係る運用管理者の作業の影響を事前に予測し、もって運用管理者が間違いなく迅速に作業をおこなうことを可能にする伝送装置および伝送装置制御方法に関するものである。
【背景技術】
【０００２】
従来より、インターネット接続サービス提供業者のバックボーン等としてＳＤＨ（Synchronous Digital Hierarchy）と呼ばれる方式で制御された高速なネットワークが利用されている。ＳＤＨ方式は、光ファイバーを用いて伝送装置をリング型に接続した形態を採用しており、伝送速度は数十ギガｂｐｓに達する。
【０００３】
ＳＤＨ方式のネットワークは、高い信頼性を備えていることも特徴となっている。ＳＤＨ方式では、ネットワークを構成する回線が二重化され、一方に障害が発生した場合でも、もう一方を使ってサービスを継続できるようになっている。このように障害時にネットワークを切り替えて運用する手法は、リングプロテクションと呼ばれ、ＵＰＳＲ（Unidirectional Path Switched Ring）方式とＢＬＳＲ（Bidirectional Line Switched Ring）方式の２種類の方式がある。
【０００４】
図１−１〜図１−２は、ＵＰＳＲ方式のリングプロテクションについて説明するための説明図である。ＵＰＳＲ方式では、図１−１に示すように、イースト（East）側とウエスト（West）側に同じデータを流し、受信側で品質の良い方のデータを採用することとなっている。このため、リング上のどこかで障害が発生したとしても、図１−２に示すように、イースト側もしくはウエスト側のどちらか一方は受信されるため、サービスが停止することはない。
【０００５】
図２−１〜図２−２は、ＢＬＳＲ方式のリングプロテクションについて説明するための説明図である。ＢＬＳＲ方式では、図２−１に示すように、イースト側もしくはウエスト側のどちらか一方にのみデータが送信され、二重化された一方の回線はプロテクション回線として待機状態に置かれる。そして、リング上のどこかで障害が発生すると、図２−２に示すように、障害の発生した場所の近端のノードがデータを折り返してプロテクション回線に送出することでサービスの停止を回避する。
【０００６】
なお、ＢＬＳＲ方式では、回線を有効活用するために、プロテクション回線を待機状態に置かずにデータを流して通常運用する場合もある。プロテクション回線を利用した通信はエクストラトラフィックと呼ばれ、障害時等にネットワークの切り替えが発生すると接続が切断されてしまう信頼性の低い通信となる。
【０００７】
このように高信頼性を実現するための各種機能を備えたＳＤＨ方式のネットワークであるが、それらの機能を使いこなすには運用管理者に高度な知識とスキルが必要とされる。特に、リングプロテクションをＵＰＳＲ方式からＢＬＳＲ方式にアップグレードする手順は複雑であり、サービスを停止することなく実施するのは非常に困難なものとなっている。そこで、特許文献１においては、運用管理者の負荷を軽減し、作業を確実かつ迅速におこなうために、このアップグレード作業を自動化する方法が提案されている。
【０００８】
【特許文献１】特開２００２−３０５５２６号公報
【発明の開示】
【発明が解決しようとする課題】
【０００９】
しかしながら、ＵＰＳＲ方式からＢＬＳＲ方式へのアップグレードは、非常にまれな作業であり、これを改善したとしても運用管理者の日常的な業務を大きく改善できるわけではない。運用管理者の日常的な業務は、回線の障害や伝送装置の増設／減設への対応が主であり、これらの対応を問題なく迅速に実施することが運用管理者の重要な役割となっている。
【００１０】
したがって、運用管理者の負荷を軽減し、さらにネットワークの安定した運用を実現するためには、回線の障害や伝送装置の増設／減設に係る運用管理者の作業を支援し、運用ミスを防止する手段を実現することが非常に重要である。
【００１１】
この発明は、上述した従来技術による問題点を解消するためになされたものであり、回線の障害や伝送装置の増設／減設に係る運用管理者の作業の影響を事前に予測し、もって運用管理者が間違いなく迅速に作業をおこなうことを可能にする伝送装置および伝送装置制御方法を提供することを目的とする。
【課題を解決するための手段】
【００１２】
上述した課題を解決し、目的を達成するため、本発明は、ＳＤＨ方式のネットワークに接続される伝送装置であって、指示内容に従って、記憶手段に保持されるネットワーク接続情報の更新をおこない、必要であれば、この情報の更新を反映するようにネットワークの構成を切り替える切替制御手段と、前記切替制御手段により更新されたネットワーク接続情報を基にしてネットワークの動作の変化を予測する動作予測手段と、前記動作予測手段の予測結果を表示手段または印字手段を通じて通知する通知手段とを備えたことを特徴とする。
【００１３】
また、本発明は、ＳＤＨ方式のネットワークに接続される伝送装置の制御方法であって、指示内容に従って、記憶手段に保持されるネットワーク接続情報の更新をおこない、必要であれば、この情報の更新を反映するようにネットワークの構成を切り替える切替制御工程と、前記切替制御工程により更新されたネットワーク接続情報を基にしてネットワークの動作の変化を予測する動作予測工程と、前記動作予測工程の予測結果を表示手段または印字手段を通じて通知する通知工程とを含んだことを特徴とする。
【００１４】
この発明によれば、切替制御工程が実際のネットワークの構成を切り替えずに、記憶手段の管理情報のみを更新できるように構成し、さらに、更新された記憶部の情報からネットワークの動作を予測する手段と予測結果を通知する手段を設けるように構成したので、伝送装置自身にネットワークの動作を予測させることができる。
【００１５】
また、本発明は、上記の発明において、前記切替制御手段が前記ネットワーク接続情報を更新する前にこの情報を退避する情報退避手段と、前記動作予測手段が予測を完了した後に前記情報退避手段が退避したネットワーク接続情報を退避前の状態に復元する情報復元手段とをさらに備えたことを特徴とする。
【００１６】
この発明によれば、伝送装置にネットワークの動作を予測させる前後に、記憶手段が保持するネットワーク接続情報の退避と復元をおこなうように構成したので、伝送装置にネットワークの動作を予測させることにより正常にネットワークを運用するための情報が破壊されることを回避することができる。
【００１７】
また、本発明は、上記の発明において、ネットワーク管理のためのコマンドを受付け、前記切替制御手段にコマンドの内容を通知するコマンド受付手段をさらに備え、前記切替制御手段は、前記コマンド受付手段からネットワークの構成を切り替える旨の通知を受けたならば、この通知の指示内容に従って、記憶手段に保持されるネットワーク接続情報の更新をおこない、必要であれば、この情報の更新を反映するようにネットワークの構成を切り替えることを特徴とする。
【００１８】
この発明によれば、管理用のコマンドの実行によって伝送装置がネットワークの動作を予測するように構成したので、管理者が任意のタイミングで伝送装置にネットワークの動作を予測させることができる。
【００１９】
また、本発明は、上記の発明において、ネットワーク上を伝送されるフレーム中のＫ１／Ｋ２バイトの変化を検出し、前記切替制御手段に変化の内容を通知するＫ１／Ｋ２バイト処理手段をさらに備え、前記切替制御手段は、前記Ｋ１／Ｋ２バイト処理手段からネットワークの構成を切り替える旨の通知を受けたならば、この通知の指示内容に従って、記憶手段に保持されるネットワーク接続情報の更新をおこない、必要であれば、この情報の更新を反映するようにネットワークの構成を切り替えることを特徴とする。
【００２０】
この発明によれば、Ｋ１／Ｋ２バイトの内容の変化によって伝送装置がネットワークの動作を予測するように構成したので、ＢＬＳＲ方式で運用しているネットワークの動作の予測を既存の仕組みを利用して容易に実現することができる。
【発明の効果】
【００２１】
本発明によれば、切替制御工程が実際のネットワークの構成を切り替えずに、記憶手段の管理情報のみを更新できるように構成し、さらに、更新された記憶部の情報からネットワークの動作を予測する手段と予測結果を通知する手段を設けるように構成したので、伝送装置自身にネットワークの動作を予測させることができるという効果を奏する。
【００２２】
また、本発明によれば、伝送装置にネットワークの動作を予測させる前後に、記憶手段が保持するネットワーク接続情報の退避と復元をおこなうように構成したので、伝送装置にネットワークの動作を予測させることにより正常にネットワークを運用するための情報が破壊されることを回避することができるという効果を奏する。
【００２３】
また、本発明によれば、管理用のコマンドの実行によって伝送装置がネットワークの動作を予測するように構成したので、管理者が任意のタイミングで伝送装置にネットワークの動作を予測させることができるという効果を奏する。
【００２４】
また、本発明によれば、Ｋ１／Ｋ２バイトの内容の変化によって伝送装置がネットワークの動作を予測するように構成したので、ＢＬＳＲ方式で運用しているネットワークの動作の予測を既存の仕組みを利用して容易に実現することができるという効果を奏する。
【発明を実施するための最良の形態】
【００２５】
以下に添付図面を参照して、この発明に係る伝送装置および伝送装置制御方法の好適な実施の形態を詳細に説明する。
【実施例】
【００２６】
まず、本実施例に係る伝送装置の動作について例を示して説明することとする。図３−１〜図３−７は、強制切替コマンド実行の影響を予測する場合の伝送装置の動作を説明するための説明図である。強制切替コマンドとは、ＢＬＳＲ方式で運用しているネットワークにおいて強制的にネットワークの切り替えをおこなわせるコマンドである。
【００２７】
図３−１は、強制切替コマンド実行前のネットワークの状態を示している。同図に示すように、ネットワークには伝送装置Ａ〜Ｄの４台の伝送装置が接続されている。そのうちの１台である伝送装置Ａは、ＬＡＮ（Local Area Network）を介してＯＰＳ（Operation System）と呼ばれる管理監視用の端末と接続されている。
【００２８】
この例では、ネットワーク上に４本のパスが存在している。パス１は、チャネル１を利用したパスであり、伝送装置Ｂと伝送装置Ｄを接続している。パス２は、チャネル２を利用したパスであり、伝送装置Ａと伝送装置Ｂを接続している。パス３は、チャネル３を利用したパスであり、伝送装置Ｂと伝送装置Ｃを接続している。パス４は、プロテクション回線であるチャネル２５を利用したパスであり、伝送装置Ａと伝送装置Ｃを接続している。
【００２９】
ここで、伝送装置Ａと伝送装置Ｂの間の光ファイバーを交換する必要が生じたとする。この場合、運用管理者は、光ファイバーの交換に先立って強制切替コマンドを実行し、伝送装置Ａと伝送装置Ｂにてデータの折り返しがおこなわれるようにしておく必要があるが、強制切替コマンドを実行すると、ネットワークの切り替えにともなってパスの断や瞬断が発生してしまう可能性がある。
【００３０】
これを防止するには、強制切替コマンドの実行の影響を受けるパスを予測し、問題が発生しないように事前にパスの張り替えをおこなっておく必要がある。この影響を受けるパスの予測は、従来は、運用管理者が知識と経験によりおこなっていたため、判断ミスによりパスの断や瞬断がおきてしまうことが少なくなかった。そこで、本実施例に係る伝送装置は、この予測を伝送装置自身がおこなうこととし、判断ミスにともなう障害の発生を抑止する。
【００３１】
強制切替コマンドの実行の影響を受けるパスを伝送装置に予測させるため、運用管理者は、ＯＰＳより予測モード設定コマンドを実行する。図３−２に示すように、ＯＰＳにて入力された予測モード設定コマンドは、ネットワークを通じて各伝送装置に伝達される。この予測モード設定コマンドは、本実施例に係る伝送装置に特有なもので、伝送装置を通常の状態から予測実行のための状態に遷移させる。
【００３２】
伝送装置を予測実行のための状態に遷移させたならば、運用管理者は、ＯＰＳより強制切替コマンドを実行する。この強制切替コマンドは、ネットワークの切り替えを強制的におこなわせるためのコマンドで、伝送装置に一般的に備わっているコマンドである。強制切替コマンドを受信した伝送装置Ａは、伝送装置Ｂに対してネットワークの切り替えをおこなうべき旨の指示をＫ１／Ｋ２バイトを用いて通知する。
【００３３】
Ｋ１／Ｋ２バイトとは、ネットワーク上で伝送される各フレームのＭセクションオーバヘッドに存在する項目であり、ネットワークの切り替えに関する制御情報を伝達する役割をもっている。ここでは、図３−３に示すように、伝送装置Ａから伝送装置Ｂに対して、短い方の経路（ショートパス）で「Ｄ２１０」というデータが、長い方の経路（ロングパス）で「Ｄ２１８」というデータが伝送される。これらは、いずれも伝送装置Ｂに対してネットワークの切り替えの実施を指示するものである。
【００３４】
通常であれば、Ｋ１／Ｋ２バイトを受け取った伝送装置Ｂは、イースト側から受信したデータをプロテクション回線に迂回させる処理であるブリッジを実施し、ブリッジを実施した旨をＫ１／Ｋ２バイトを用いて他の伝送装置に通知する。しかし、ここでは、伝送装置Ｂは予測実行のための状態に遷移しているため、実際にはブリッジを実施することなく、ブリッジを実施した旨の通知のみをＫ１／Ｋ２バイトを用いておこなう。具体的には、図３−４に示すように、ショートパスで「Ｄ１２１」というデータが、ロングパスで「Ｄ１２９」というデータが送信される。
【００３５】
ブリッジを実施した旨の通知をロングパスで受けた伝送装置Ｃ、伝送装置Ｄおよび伝送装置Ａは、自身が保持するパスの管理情報を参照し、プロテクション回線であるチャネル２５にパス４が存在することを認識する。この場合、通常は、プロテクション回線上のパスを切断する動作をおこなう。しかし、これらの伝送装置は予測実行のための状態に遷移しているため、実際にはパスの切断をおこなわずに、パスが切断される旨をＯＰＳに対して通知する。これにより、ＯＰＳは、図３−４に示すように、チャネル２５のパスが切断される旨を画面に表示する。
【００３６】
通常であれば、ブリッジを実施した旨の通知をショートパスで受けた伝送装置Ａは、強制切断された側へのデータの送出を中止する処理であるスイッチを実施し、その旨をＫ１／Ｋ２バイトを用いて他の伝送装置に通知する。また、このときスイッチの実行により伝送装置Ａと伝送装置Ｂの間の回線を利用していたチャネル１およびチャネル２は、瞬断することになる。
【００３７】
しかし、伝送装置Ａは予測実行のための状態に遷移しているため、実際にはスイッチを実施することなく、スイッチをを実施した旨の通知のみをＫ１／Ｋ２バイトを用いておこなう。具体的には、図３−５に示すように、ショートパスで「Ｄ２１３」というデータが、ロングパスで「Ｄ２１Ａ」というデータが送信される。
【００３８】
また、伝送装置Ａは、自身が保持するパスの管理情報を参照し、スイッチを実施していたならばチャネル１およびチャネル２が瞬断していたことを認識し、その旨をＯＰＳに対して通知する。これにより、ＯＰＳは、図３−５に示すように、チャネル１およびチャネル２が瞬断する旨を画面に表示する。
【００３９】
伝送装置Ａからスイッチを実施した旨の通知を受けた伝送装置Ｂは、通常であれば、スイッチの実行とＫ１／Ｋ２バイトによる通知をおこなう。しかし、予測実行のための状態に遷移しているため、伝送装置Ａと同様にＫ１／Ｋ２バイトの送信のみをおこない、ＯＰＳに対して瞬断するパスの通知をおこなう。これにより、ＯＰＳは、図３−６に示すように、チャネル１およびチャネル２が瞬断する旨を画面に表示する。
【００４０】
伝送装置Ａおよび伝送装置Ｂにおけるスイッチの完了により、強制切替コマンドによる一連の動作は完了することになる。そこで、ＯＰＳの表示内容を確認した運用管理者は、ＯＰＳより予測モード解除コマンドを実行する。図３−７に示すように、ＯＰＳにて入力された予測モード解除コマンドは、ネットワークを通じて各伝送装置に伝達される。この予測モード解除コマンドは、本実施例に係る伝送装置に特有なもので、伝送装置を予測実行のための状態から通常の状態に復帰させる。
【００４１】
予測モード解除コマンドを実行したならば、運用管理者は、ＯＰＳに表示された断するパスおよび瞬断するパスの張替えをおこない、その後、強制切替コマンドを再実行して実際にネットワークの切り替えを実施する。ここでは、既に強制切替コマンドの実行により断もしくは瞬断するパスは張り替えられているため、障害が発生することはない。
【００４２】
このように、本実施例に係る伝送装置は、予測実行のためのモードを備える。そして、予測実行のためのモードに遷移している場合は、強制切替コマンド等のコマンドが実行されたならば、実際にネットワークの状態を変更せずに、そのコマンドによりネットワークに生じるであろう変化をＯＰＳに通知する動作をおこなう。
【００４３】
次に、本実施例に係る伝送装置の構成について説明する。図４は、本実施例に係る伝送装置の構成を示す機能ブロック図である。同図に示すように、伝送装置１００は、通信処理部１１０と、ネットワーク制御部１２０と、リング動作制御部１３０と、記憶部１４０とを有する。
【００４４】
通信処理部１１０は、各種情報の送受信を実施する処理部である。ネットワーク制御部１２０は、ネットワークの各種制御をおこなう制御部であり、コマンド受付部１２１と、Ｋ１／Ｋ２バイト処理部１２２と、切替制御部１２３とを有する。
【００４５】
コマンド受付部１２１は、ＯＰＳや架前端末から強制切替コマンド等のネットワーク管理用のコマンドを受付ける処理部である。また、コマンド受付部１２１は、受付けたコマンドを振り分ける処理もおこない、予測モード設定コマンドおよび予測モード解除コマンドを受付けた場合は、このコマンドを動作予測処理部１３１へ振り分ける。
【００４６】
Ｋ１／Ｋ２バイト処理部１２２は、ネットワーク上を伝送されるフレーム中のＫ１／Ｋ２バイトの変化を監視し、変化があればその旨を切替制御部１２３へ通知する処理と、ネットワーク上伝送されるフレーム中に依頼された内容のＫ１／Ｋ２バイトを埋め込んで送出する処理をおこなう。
【００４７】
ここで、Ｋ１／Ｋ２バイトのビットイメージについて説明しておく。図５は、Ｋ１／Ｋ２バイトのビットイメージについて説明するための説明図である。同図に示すように、Ｋ１バイトの上位４ビットは要求の種別を示す。例えば、１６進表現の「Ｄ」は、強制切替の要求を意味する。そして、Ｋ１バイトの下位４ビットは要求先のノードの番号を示し、Ｋ２バイトの上位４ビットは要求先のノードの番号を示す。
【００４８】
また、Ｋ２バイトの下位４ビットのうち上位の１ビットは、要求のパスの種別を示す。具体的には、このビットが０の場合は、要求のパスがショートパスであることを示し、１の場合は、要求のパスがロングパスであることを示す。残りの３ビットは、ネットワークの切り替えの状態を示す。例えば、１６進表現の「１」は、ブリッジがおこなわれた状態を示し、「３」は、ブリッジに加えてスイッチがおこなわれた状態を示す。
【００４９】
切替制御部１２３は、コマンド受付部１２１が受け付けたコマンドやＫ１／Ｋ２バイト処理部１２２が変化を検出したＫ１／Ｋ２バイトに応じてネットワークの切り替え処理を制御する制御部である。ネットワークの切り替えをおこなう場合、通常は、記憶部１４０の切替状態情報１４３を更新した後、通信処理部１１０にその更新内容を反映させる処理をおこなうが、伝送装置１００が予測実行のモードに遷移している場合には、切替状態情報１４３の更新のみをおこない、通信処理部１１０への反映はおこなわない。
【００５０】
リング動作予測処理部１３０は、本実施例に係る伝送装置１００に特有な処理部であり、動作予測処理部１３１と、切替状態退避処理部１３２と、切替状態復元処理部１３３と、予測結果通知部１３４とを有する。動作予測処理部１３１は、予測実行のモードへの遷移と復帰を制御し、また、記憶部１４０のクロスコネクト情報１４２や切替状態情報１４３を参照して強制切替コマンド等のネットワーク管理用のコマンドの実行結果を予測する処理部である。
【００５１】
切替状態退避処理部１３２は、伝送装置１００が予測実行のモードに遷移する際に、記憶部１４０の切替状態情報１４３を切替状態退避情報１４４として退避する処理部である。一方、切替状態復元処理部１３３は、伝送装置１００が通常のモードに復帰する際に、切替状態退避情報１４４として退避されている情報を切替状態情報１４３へ戻す処理部である。
【００５２】
このような仕組みを設けることにより、予測実行のモードに遷移している間に切替制御部１２３が切替状態情報１４３の内容を更新したとしても、通常のモードに復帰する際に、更新前の状態、すなわち実際のネットワークの状態へ戻すことができる。
【００５３】
予測結果通知部１３４は、動作予測処理部１３１の予測結果をＯＰＳや架前端末へ通知する処理部である。記憶部１４０は、各種情報を記憶する記憶部であり、モード情報１４１と、クロスコネクト情報１４２と、切替状態情報１４３と、切替状態退避情報１４４とを記憶する。モード情報１４１は、伝送装置１００が予測実行のモードであるか否かを示す情報である。クロスコネクト情報１４２は、パスがどの伝送装置からどの伝送装置へ張られているのかを示す情報である。切替状態情報１４３は、ネットワークの切り替え状態を示す情報であり、切替状態退避情報１４４は、伝送装置１００が予測実行のモードへ遷移する前のネットワークの切り替え状態を示す情報である。
【００５４】
次に、伝送装置１００の処理手順について説明する。図６は、予測モード設定コマンド受信時の処理手順を説明するためのシーケンス図である。同図に示すように、ＯＰＳにて発行された予測モード設定コマンドは、コマンド受付部１２１によって受付けられる（ステップＳ１０１）。そして、コマンド受付部１２１は、予測モード設定コマンドを受付けた旨を動作予測処理部１３１へ通知する（ステップＳ１０２）。
【００５５】
動作予測処理部１３１は、モード情報１４１を取得し、予測実行のモードへ遷移している状態か否かを確認し（ステップＳ１０３）、既に遷移している場合は（ステップＳ１０４肯定）、特に処理をおこなわない。遷移していない場合は（ステップＳ１０４否定）、切替状態退避処理部１３２に指示して切替状態情報１４３の内容を切替状態退避情報１４４として退避させ（ステップＳ１０５）、さらに、モード情報１４１を更新して予測実行のモードへ遷移している旨を示す状態にする（ステップＳ１０６）。
【００５６】
図７は、予測モード解除コマンド受信時の処理手順を説明するためのシーケンス図である。同図に示すように、ＯＰＳにて発行された予測モード解除コマンドは、コマンド受付部１２１によって受付けられる（ステップＳ２０１）。そして、コマンド受付部１２１は、予測モード解除コマンドを受付けた旨を動作予測処理部１３１へ通知する（ステップＳ２０２）。
【００５７】
動作予測処理部１３１は、モード情報１４１を取得し、予測実行のモードへ遷移している状態か否かを確認し（ステップＳ２０３）、遷移していない場合は（ステップＳ２０４否定）、特に処理をおこなわない。遷移している場合は（ステップＳ２０４肯定）、切替状態復元処理部１３３に指示して切替状態退避情報１４４の内容を切替状態情報１４３へ戻させ（ステップＳ２０５）、さらに、モード情報１４１を更新して予測実行のモードから通常のモードへ復帰した旨を示す状態にする（ステップＳ２０６）。
【００５８】
図８は、強制切替コマンド受信時の処理手順を説明するためのシーケンス図である。同図に示すように、ＯＰＳにて発行された強制切替コマンドは、コマンド受付部１２１によって受付けられる（ステップＳ３０１）。そして、コマンド受付部１２１は、強制切替コマンドを受付けた旨を切替制御部１２３へ通知する（ステップＳ３０２）。
【００５９】
切替制御部１２３は、ネットワークの切り替えが必要な近端の伝送装置を選択し、その伝送装置に対してネットワークの切り替えを実施すべき旨のＫ１／Ｋ２バイトを送信するようにＫ１／Ｋ２バイト処理部１２２へ指示し（ステップＳ３０３）、Ｋ１／Ｋ２バイト処理部１２２は、指示されたＫ１／Ｋ２バイトを対象の伝送装置に対して送信する（ステップＳ３０４）。この強制切替コマンド受信時の処理手順は、伝送装置１００が予測実行のモードであっても通常のモードであっても共通である。
【００６０】
図９は、Ｋ１／Ｋ２バイトの変化を検出した場合の処理手順を説明するためのシーケンス図である。同図に示すように、Ｋ１／Ｋ２バイト処理部１２２は、Ｋ１／Ｋ２バイトの変化を検出すると（ステップＳ４０１）、その旨を切替制御部１２３へ通知する（ステップＳ４０２）。
【００６１】
通知を受けた切替制御部１２３は、クロスコネクト情報１４２の取得（ステップＳ４０３）と切替状態情報１４３の取得（ステップＳ４０４）をおこなう。そして、Ｋ１／Ｋ２バイトの内容とステップＳ４０３〜４０４で取得した情報から、切り替え状態をどのように更新すべきかを判断し（ステップＳ４０５）、判断結果に応じて切替状態情報１４３の内容を更新する（ステップＳ４０６）。
【００６２】
たとえば、Ｋ１／Ｋ２バイトがブリッジを実施した旨を通知する内容であったならば、切替制御部１２３は、プロテクション回線上のパスを切断する必要があると判断し、クロスコネクト情報１４２と切替状態情報１４３からプロテクション回線上のパスを抽出し、これらのパスを切断するものとして切替状態情報１４３を更新する。
【００６３】
切り替え状態の更新にともなって、他の伝送装置に対してＫ１／Ｋ２バイトによる何らかの通知が必要であれば（ステップＳ４０７肯定）、Ｋ１／Ｋ２バイト処理部１２２に送信を依頼する（ステップＳ４０８）。Ｋ１／Ｋ２バイト処理部１２２は、依頼された内容のＫ１／Ｋ２バイトを他の伝送装置に送信すると（ステップＳ４０９）、送信した旨を切替制御部１２３へ通知する（ステップＳ４１０）。他の伝送装置への通知が不要な場合は（ステップＳ４０７否定）、ステップＳ４０８〜４１０は実行されない。
【００６４】
ここで、切替制御部１２３は、モード情報１４１を取得し（ステップＳ４１１）、予測実施の状態に遷移しているか否かを確認する。遷移していない場合は（ステップＳ４１２否定）、ステップＳ４０５の判定結果を通信処理部１１０に反映させて一連の処理を完了させる（ステップＳ４１３）。
【００６５】
予測実施の状態に遷移している場合は、制御を動作予測処理部１３１に引き渡す。動作予測処理部１３１は、クロスコネクト情報１４２の取得（ステップＳ４１４）と切替状態情報１４３の取得（ステップＳ４１５）をおこない、ステップＳ４０５における切替制御部１２３の判断結果からパスの断や瞬断等の障害の発生の有無を判定して（ステップＳ４１６）、障害が発生するのであればＯＰＳにその旨を通知する（ステップＳ４１７）。
【００６６】
この一連の処理手順は、従来の処理手順に、モードを判断するステップＳ４１１〜４１２とネットワークの動作予測をおこなうステップＳ４１４〜４１７を追加したものである。このように、本実施例に係る伝送装置１００は、従来の処理手順を大きく変更することなく、ネットワークの動作予測機能を実現している。
【００６７】
ここまで、強制実行コマンド実行の影響を予測する場合を例にして本実施例に係る伝送装置１００の説明をおこなってきたが、回線に障害が発生した場合の影響を事前に予測したい場合や、伝送装置の増設／減設をおこなう場合の影響を事前に予測したい場合にもこの仕組みをそのまま利用することができる。
【００６８】
なお、伝送装置の増設／減設をおこなう場合、複数の伝送装置を同時に増設／減設することもありうる。そのような場合の影響を予測するため、ネットワーク上の複数の箇所で切り替えが発生した場合の影響を予測することができるように伝送装置１００を構成することも可能である。
【００６９】
また、新たな予測処理用のコマンドを作成し、そのコマンドに対応した処理を動作予測処理部１３１に追加することでネットワークの切り替え以外の動作予測を伝送装置１００におこなわせることもできる。たとえば、アップグレード判定コマンドを作成し、それに応じた処理を動作予測処理部１３１に追加することで、ＵＰＳＲ方式からＢＬＳＲ方式へのアップグレードの影響を予測させることもできる。
【００７０】
図１０−１〜１０−４は、アップグレード判定コマンドを実行する場合の伝送装置の動作を説明するための説明図である。図１０−１は、アップグレード判定コマンド実行前のネットワークの状態を示している。同図に示すように、ネットワークには伝送装置Ａ〜Ｄの４台の伝送装置が接続されている。
【００７１】
このネットワークは、ＵＰＳＲ方式で運用されており、伝送装置ＡでＡｄｄされ、伝送装置ＣでＤｒｏｐするチャネル１上のパス１と、伝送装置ＤでＡｄｄされ、伝送装置ＢでＤｒｏｐするチャネル２５上のパス２という２つのパスが存在している。チャネル２５は、ＢＬＳＲ方式へ移行した場合はプロテクション回線となるチャネルである。
【００７２】
ここで、運用管理者がＯＰＳより予測モード設定コマンドを実行した後にアップグレード判定コマンドを実行したとする。図１０−２に示すように、ＯＰＳにて入力されたアップグレード判定コマンドは、ネットワークを通じて各伝送装置に伝達される。
【００７３】
コマンドを受信した各伝送装置では、動作予測処理部１３１がクロスコネクト情報１４２や切替状態情報１４３を参照してアップグレードの影響を予測する。たとえば、この場合、伝送装置Ａの動作予測処理部１３１は、図１０−３に示すように、チャネル１のウエスト側のＡｄｄパスの削除とチャネル２５のスルーパスのチャネル２〜２４への張替えか削除が必要であると判断する。
【００７４】
各伝送装置の動作予測処理部１３１の予測結果は、図１０−４に示すように、予測結果通知部１３４を通じてＯＰＳへ通知され、ＯＰＳの画面に表示される。運用管理者は、予測モード解除コマンドを実行した後、この表示の内容に従って作業を実施することにより、障害を発生させることなくＢＬＳＲ方式へのアップグレード作業を完了させることができる。
【００７５】
上述してきたように、本実施例では、伝送装置に予測実行のためのモードを設け、伝送装置がこのモードにある場合は、ネットワークの構成を変更すべき場面であっても変更を仮想的にのみ実行し、この仮想の実行結果に基づいてネットワークの変化を予測して管理者の端末に通知するように構成したので、伝送装置自身にネットワークの変化を予測させることができる。
【００７６】
（付記１）ＳＤＨ方式のネットワークに接続される伝送装置であって、
指示内容に従って、記憶手段に保持されるネットワーク接続情報の更新をおこない、必要であれば、この情報の更新を反映するようにネットワークの構成を切り替える切替制御手段と、
前記切替制御手段により更新されたネットワーク接続情報を基にしてネットワークの動作の変化を予測する動作予測手段と、
前記動作予測手段の予測結果を表示手段または印字手段を通じて通知する通知手段と
を備えたことを特徴とする伝送装置。
【００７７】
（付記２）前記切替制御手段が前記ネットワーク接続情報を更新する前にこの情報を退避する情報退避手段と、
前記動作予測手段が予測を完了した後に前記情報退避手段が退避したネットワーク接続情報を退避前の状態に復元する情報復元手段とをさらに備えたことを特徴とする付記１に記載の伝送装置。
【００７８】
（付記３）ネットワーク管理のためのコマンドを受付け、前記切替制御手段にコマンドの内容を通知するコマンド受付手段をさらに備え、
前記切替制御手段は、前記コマンド受付手段からネットワークの構成を切り替える旨の通知を受けたならば、この通知の指示内容に従って、記憶手段に保持されるネットワーク接続情報の更新をおこない、必要であれば、この情報の更新を反映するようにネットワークの構成を切り替えることを特徴とする付記１または２に記載の伝送装置。
【００７９】
（付記４）ネットワーク上を伝送されるフレーム中のＫ１／Ｋ２バイトの変化を検出し、前記切替制御手段に変化の内容を通知するＫ１／Ｋ２バイト処理手段をさらに備え、
前記切替制御手段は、前記Ｋ１／Ｋ２バイト処理手段からネットワークの構成を切り替える旨の通知を受けたならば、この通知の指示内容に従って、記憶手段に保持されるネットワーク接続情報の更新をおこない、必要であれば、この情報の更新を反映するようにネットワークの構成を切り替えることを特徴とする付記１、２または３に記載の伝送装置。
【００８０】
（付記５）ＳＤＨ方式のネットワークに接続される伝送装置の制御方法であって、
指示内容に従って、記憶手段に保持されるネットワーク接続情報の更新をおこない、必要であれば、この情報の更新を反映するようにネットワークの構成を切り替える切替制御工程と、
前記切替制御工程により更新されたネットワーク接続情報を基にしてネットワークの動作の変化を予測する動作予測工程と、
前記動作予測工程の予測結果を表示手段または印字手段を通じて通知する通知工程と
を含んだことを特徴とする伝送装置制御方法。
【００８１】
（付記６）前記切替制御工程が前記ネットワーク接続情報を更新する前にこの情報を退避する情報退避工程と、
前記動作予測工程が予測を完了した後に前記情報退避工程が退避したネットワーク接続情報を退避前の状態に復元する情報復元工程とをさらに含んだことを特徴とする付記５に記載の伝送装置制御方法。
【００８２】
（付記７）ネットワーク管理のためのコマンドを受付け、前記切替制御工程にコマンドの内容を通知するコマンド受付工程をさらに含み、
前記切替制御工程は、前記コマンド受付工程からネットワークの構成を切り替える旨の通知を受けたならば、この通知の指示内容に従って、記憶手段に保持されるネットワーク接続情報の更新をおこない、必要であれば、この情報の更新を反映するようにネットワークの構成を切り替えることを特徴とする付記５または６に記載の伝送装置制御方法。
【００８３】
（付記８）ネットワーク上を伝送されるフレーム中のＫ１／Ｋ２バイトの変化を検出し、前記切替制御工程に変化の内容を通知するＫ１／Ｋ２バイト処理工程をさらに含み、
前記切替制御工程は、前記Ｋ１／Ｋ２バイト処理工程からネットワークの構成を切り替える旨の通知を受けたならば、この通知の指示内容に従って、記憶手段に保持されるネットワーク接続情報の更新をおこない、必要であれば、この情報の更新を反映するようにネットワークの構成を切り替えることを特徴とする付記５、６または７に記載の伝送装置制御方法。
【産業上の利用可能性】
【００８４】
以上のように、本発明にかかる伝送装置および伝送装置制御方法は、ネットワーク管理業務に有用であり、特に、作業ミスに起因する障害の発生を防止するとともに作業の迅速化を図ることが重要な場合に適している。
【図面の簡単な説明】
【００８５】
【図１−１】ＵＰＳＲ方式のリングプロテクションについて説明するための説明図である。
【図１−２】ＵＰＳＲ方式のリングプロテクションについて説明するための説明図である。
【図２−１】ＢＬＳＲ方式のリングプロテクションについて説明するための説明図である。
【図２−２】ＢＬＳＲ方式のリングプロテクションについて説明するための説明図である。
【図３−１】強制切替コマンド実行の影響を予測する場合の伝送装置の動作を説明するための説明図である。
【図３−２】強制切替コマンド実行の影響を予測する場合の伝送装置の動作を説明するための説明図である。
【図３−３】強制切替コマンド実行の影響を予測する場合の伝送装置の動作を説明するための説明図である。
【図３−４】強制切替コマンド実行の影響を予測する場合の伝送装置の動作を説明するための説明図である。
【図３−５】強制切替コマンド実行の影響を予測する場合の伝送装置の動作を説明するための説明図である。
【図３−６】強制切替コマンド実行の影響を予測する場合の伝送装置の動作を説明するための説明図である。
【図３−７】強制切替コマンド実行の影響を予測する場合の伝送装置の動作を説明するための説明図である。
【図４】本実施例に係る伝送装置の構成を示す機能ブロック図である。
【図５】Ｋ１／Ｋ２バイトのビットイメージについて説明するための説明図である。
【図６】予測モード設定コマンド受信時の処理手順を説明するためのシーケンス図である。
【図７】予測モード解除コマンド受信時の処理手順を説明するためのシーケンス図である。
【図８】強制切替コマンド受信時の処理手順を説明するためのシーケンス図である。
【図９】Ｋ１／Ｋ２バイトの変化を検出した場合の処理手順を説明するためのシーケンス図である。
【図１０−１】アップグレード判定コマンドを実行する場合の伝送装置の動作を説明するための説明図である。
【図１０−２】アップグレード判定コマンドを実行する場合の伝送装置の動作を説明するための説明図である。
【図１０−３】アップグレード判定コマンドを実行する場合の伝送装置の動作を説明するための説明図である。
【図１０−４】アップグレード判定コマンドを実行する場合の伝送装置の動作を説明するための説明図である。
【符号の説明】
【００８６】
１０    ビットイメージ
１１    ビットイメージの内容
１００    伝送装置
１１０    通信処理部
１２０    ネットワーク制御部
１２１    コマンド受付部
１２２    Ｋ１／Ｋ２バイト処理部
１２３    切替制御部
１３０    リング動作予測部
１３１    動作予測処理部
１３２    切替状態退避処理部
１３３    切替状態復元処理部
１３４    予測結果通知部
１４０    記憶部
１４１    モード情報
１４２    クロスコネクト情報
１４３    切替状態情報
１４４    切替状態退避情報
【図１−１】
2006115387.tif 000003
【図１−２】
2006115387.tif 000004
【図２−１】
2006115387.tif 000005
【図２−２】
2006115387.tif 000006
【図３−１】
2006115387.tif 000007
【図３−２】
2006115387.tif 000008
【図３−３】
2006115387.tif 000009
【図３−４】
2006115387.tif 000010
【図３−５】
2006115387.tif 000011
【図３−６】
2006115387.tif 000012
【図３−７】
2006115387.tif 000013
【図４】
2006115387.tif 000014
【図５】
2006115387.tif 000015
【図６】
2006115387.tif 000016
【図７】
2006115387.tif 000017
【図８】
2006115387.tif 000018
【図９】
2006115387.tif 000019
【図１０−１】
2006115387.tif 000020
【図１０−２】
2006115387.tif 000021
【図１０−３】
2006115387.tif 000022
【図１０−４】
2006115387.tif 000023